(57)【要約】【課題】紙等の従来の媒体を付箋として用いて、付箋に書き込んだ情報を容易に表示させることができる電子会議システムを提供する。【解決手段】付箋紙を特定する付箋紙特定情報と、当該付箋紙に書き込まれた情報を読み取って重ね合わせて表示する対象画像情報を特定するファイル特定情報と、を関連付けた付箋管理データベース、に登録された付箋紙特定情報を示す画像を含む付箋紙を印刷する画像形成装置１０４と、その付箋紙に書き込まれた情報を読み取って、付箋紙特定情報に関連付けられているファイル特定情報で特定される対象画像情報に重ね合わせて付箋紙に書き込まれた情報を表示する電子会議端末１０２とを含む電子会議システムにより上記課題を解決することができる。【選択図】図１
2007213447.tif 000002
【特許請求の範囲】
【請求項１】
画像情報及び当該画像情報を特定するファイル特定情報を記憶手段に記憶させる記憶制御手段と、
付箋紙印刷指示を受け付ける印刷指示受付手段と、
前記印刷指示受付手段で受け付けられた付箋紙印刷指示に基づいて、付箋紙から読み取られた情報と重ね合わせて表示される画像情報を特定するファイル特定情報を記憶手段より抽出する情報抽出手段と、
前記情報抽出手段において抽出されたファイル特定情報を示す情報が付された付箋紙を出力させる出力制御手段と、
付箋紙から読み取られた画像を取得する付箋画像取得手段と、
前記付箋画像取得手段において取得された画像から、付箋紙に書き込まれた画像情報と当該画像情報と重ね合わせて表示される画像情報を特定するファイル特定情報とを認識する画像認識手段と、
前記画像認識手段において認識されたファイル特定情報で特定される画像情報を記憶手段から読み出す画像読出手段と、
前記画像読出手段において読み出された画像情報と、前記画像認識手段において認識された付箋紙に書き込まれた画像情報と、を表示手段に表示させる表示制御手段と、
を備える会議支援装置と、
前記出力制御手段からファイル特定情報を示す情報を受信する受信手段と、
前記受信手段において受信されたファイル特定情報を示す情報を付箋紙に付して出力する出力手段と、
前記付箋紙から情報を読み取る読取手段と、
を備える複合機と、
を含むことを特徴とする会議支援システム。
【請求項２】
画像情報を特定するファイル特定情報を記憶手段に記憶させる記憶制御手段と、
付箋紙印刷指示を受け付ける印刷指示受付手段と、
前記印刷指示受付手段で受け付けられた付箋紙印刷指示に基づいて、付箋紙から読み取られた情報と重ね合わせて表示される画像情報を特定するファイル特定情報を記憶手段より抽出するファイル情報抽出手段と、
前記ファイル情報抽出手段において抽出されたファイル特定情報を示す情報が付された付箋紙を出力手段に出力させる出力制御手段と、
を備えることを特徴とする会議支援装置。
【請求項３】
請求項２に記載の会議支援装置であって、
前記記憶制御手段は、会議の参加者を特定する会議参加者情報を記憶手段に記憶させ、
前記印刷指示受付手段において受け付けられた付箋紙印刷指示に基づいて、記憶手段より会議参加者情報を抽出する参加者抽出手段と、
前記参加者抽出手段において抽出された会議参加者情報で特定される参加者を表示手段に一覧表示させる表示制御手段と、
一覧表示された参加者から選択指示された参加者を特定する会議参加者情報を取得する選択情報取得手段と、を備え、
前記出力制御手段は、付箋紙から読み取られた情報と重ね合わせて表示される画像情報を特定するファイル特定情報と、前記選択情報取得手段において取得された会議参加者情報と、を示す情報が付された付箋紙を出力手段に出力させることを特徴とする会議支援装置。
【請求項４】
画像情報を記憶手段に記憶させる記憶制御手段と、
付箋紙から読み取られた画像を取得する付箋画像取得手段と、
前記付箋画像取得手段において取得された画像から、付箋紙に書き込まれた画像情報と当該画像情報と重ね合わせて表示される画像情報を特定するファイル特定情報とを認識する画像認識手段と、
前記画像認識手段において認識されたファイル特定情報で特定される画像情報を記憶手段から読み出す画像読出手段と、
前記画像読出手段において読み出された画像情報と、前記画像認識手段において認識された付箋紙に書き込まれた画像情報と、を表示手段に表示させる表示制御手段と、
を備えることを特徴とする会議支援装置。
【請求項５】
請求項４に記載の会議支援装置であって、
前記画像認識手段は、前記付箋画像取得手段において取得された画像から、付箋紙に書き込まれた画像情報と当該画像情報と重ね合わせて表示される画像情報と共に、会議参加者情報を認識し、
前記表示制御手段は、前記画像認識手段において認識された会議参加者情報で特定される会議参加者が発表者である場合のみに前記画像読出手段において読み出された画像情報と、前記画像認識手段において認識された付箋紙に書き込まれた画像情報と、を表示手段に表示させることを特徴とする会議支援装置。
【請求項６】
コンピュータに、
画像情報を特定するファイル特定情報を記憶手段に記憶させる記憶制御ステップと、
付箋紙印刷指示を受け付ける印刷指示受付ステップと、
前記印刷指示受付ステップで受け付けられた付箋紙印刷指示に基づいて、付箋紙から読み取られた情報と重ね合わせて表示される画像情報を特定するファイル特定情報を記憶手段より抽出するファイル情報抽出ステップと、
前記ファイル情報抽出ステップにおいて抽出されたファイル特定情報を示す情報が付された付箋紙を出力手段に出力させる出力制御ステップと、
を実行させることを特徴とする会議支援プログラム。
【請求項７】
請求項６に記載の会議支援プログラムであって、
コンピュータに、
前記記憶制御ステップでは、会議の参加者を特定する会議参加者情報を記憶手段に記憶させ、
前記印刷指示受付ステップにおいて受け付けられた付箋紙印刷指示に基づいて、記憶手段より会議参加者情報を抽出する参加者抽出ステップと、
前記参加者抽出ステップにおいて抽出された会議参加者情報で特定される参加者を表示手段に一覧表示させる表示制御ステップと、
一覧表示された参加者から選択指示された参加者を特定する会議参加者情報を取得する選択情報取得ステップと、をさらに実行させ、
前記出力制御ステップでは、付箋紙から読み取られた情報と重ね合わせて表示される画像情報を特定するファイル特定情報と、前記選択情報取得ステップにおいて取得された会議参加者情報と、を示す情報が付された付箋紙を出力手段に出力させることを特徴とする会議支援プログラム。
【請求項８】
コンピュータに、
画像情報を記憶手段に記憶させる記憶制御ステップと、
付箋紙から読み取られた画像を取得する付箋画像取得ステップと、
前記付箋画像取得ステップにおいて取得された画像から、付箋紙に書き込まれた画像情報と当該画像情報と重ね合わせて表示される画像情報を特定するファイル特定情報とを認識する画像認識ステップと、
前記画像認識ステップにおいて認識されたファイル特定情報で特定される画像情報を記憶手段から読み出す画像読出ステップと、
前記画像読出ステップにおいて読み出された画像情報と、前記画像認識ステップにおいて認識された付箋紙に書き込まれた画像情報と、を表示手段に表示させる表示制御ステップと、
を実行させることを特徴とする会議支援プログラム。
【請求項９】
請求項８に記載の会議支援プログラムであって、
コンピュータに、
前記画像認識ステップでは、前記付箋画像取得ステップにおいて取得された画像から、付箋紙に書き込まれた画像情報と当該画像情報と重ね合わせて表示される画像情報と共に、会議参加者情報を認識させ、
前記表示制御ステップでは、前記画像認識ステップにおいて認識された会議参加者情報で特定される会議参加者が発表者である場合のみに前記画像読出ステップにおいて読み出された画像情報と、前記画像認識ステップにおいて認識された付箋紙に書き込まれた画像情報と、を表示手段に表示させることを特徴とする会議支援プログラム。
【請求項１０】
画像情報及び当該画像情報を特定するファイル特定情報を記憶手段に記憶させる記憶制御ステップと、
付箋紙印刷指示を受け付ける印刷指示受付ステップと、
前記印刷指示受付ステップで受け付けられた付箋紙印刷指示に基づいて、付箋紙から読み取られた情報と重ね合わせて表示される画像情報を特定するファイル特定情報を記憶手段より抽出する情報抽出ステップと、
前記情報抽出ステップにおいて抽出されたファイル特定情報を示す情報が付された付箋紙を出力させる出力ステップと、
前記付箋紙から画像を取得する付箋画像取得ステップと、
前記付箋画像取得ステップにおいて取得された画像から、付箋紙に書き込まれた画像情報と当該画像情報と重ね合わせて表示される画像情報を特定するファイル特定情報とを認識する画像認識ステップと、
前記画像認識ステップにおいて認識されたファイル特定情報で特定される画像情報を記憶手段から読み出す画像読出ステップと、
前記画像読出ステップにおいて読み出された画像情報と、前記画像認識ステップにおいて認識された付箋紙に書き込まれた画像情報と、を表示手段に表示させる表示ステップと、
を含むことを特徴とする会議支援方法。
【発明の詳細な説明】
【技術分野】
【０００１】
本発明は、電子ボードを用いたプレゼンテーションを容易にする電子会議システム及び電子会議システム用プログラムに関する。具体的には、電子ボードを用いたプレゼンテーションを容易にする電子会議システムに用いられる電子会議端末、画像形成・読取装置、ユーザ管理サーバ、会議管理サーバ及び付箋管理サーバ、並びに、これらを制御するための電子会議端末プログラム、画像形成・読取装置プログラム、ユーザ管理サーバプログラム、会議管理サーバプログラム及び付箋管理サーバプログラムに関する。
【背景技術】
【０００２】
大型のディスプレイパネル等のディスプレイ装置を含む電子ボードを備え、その電子ボードに紙等の媒体から読み取られた情報を表示可能な電子会議システムが用いられるようになっている。
【０００３】
特許文献１には、電子会議システムで用いられる電子黒板システムに関する技術が開示されている。文字や画像を表示するためのプラズマディスプレイパネル、プラズマディスプレイパネルの前面にタッチパネル面を配設したタッチ入力装置、電子黒板機能で使用するファイルを記憶する記憶装置、タッチ入力装置からの入力に基づいてプラズマディスプレイパネルの表示制御及び記憶装置のファイルに対するアクセス制御を行うコンピュータを備え、プラズマディスプレイパネル及びタッチ入力装置を用いて電子黒板の表示面および書込面を構成することを可能としている。さらに、コンピュータは、記憶装置中のファイルへのアクセス要求があった場合、プラズマディスプレイパネル及びタッチ入力装置を介してファイル単位で認証要求を行い、認証が一致した場合に該当するファイルへのアクセスを許可する。
【０００４】
また、特許文献２には、テレライティング装置に関し、テレライティング端末を会議等に使用する場合、テレライティングを行っている画面に付箋のウィンドウでメモ書きを行ったり、通信したりする等の要求に応えることができ、より円滑に効率良くテレライティングを行うことができるテレライティング装置が開示されている。
【０００５】
【特許文献１】特開２０００−４３４８６号公報
【特許文献２】特開平０６−１４１１２０号公報
【発明の開示】
【発明が解決しようとする課題】
【０００６】
上記特許文献２に記載の技術では、電子データとして付箋を作成し、複数のユーザで共通の画面にその電子データを表示するだけである。上記特許文献２に記載の技術では、複数のユーザが共通の画面に電子データを表示させるためには各々のユーザに対してテレライティング端末を与える必要がある。従って、使用するユーザ数が増加するにつれてシステム全体の構成が複雑となり、装置のコストも増大する。
【０００７】
また、各ユーザは、電子データとして付箋を作成するテレライティング端末の使用方法を習得する必要があり、紙等の従来の媒体を用いる場合に比べてユーザが使い難いという問題がある。
【０００８】
本発明は、上記従来技術の問題を鑑み、上記問題の少なくとも１つを解決することを可能とする電子会議システム及び電子会議システム用プログラムを提供することを目的とする。
【課題を解決するための手段】
【０００９】
本発明は、画像情報及び当該画像情報を特定するファイル特定情報を記憶手段に記憶させる記憶制御手段と、付箋紙印刷指示を受け付ける印刷指示受付手段と、前記印刷指示受付手段で受け付けられた付箋紙印刷指示に基づいて、付箋紙から読み取られた情報と重ね合わせて表示される画像情報を特定するファイル特定情報を記憶手段より抽出する情報抽出手段と、前記情報抽出手段において抽出されたファイル特定情報を示す情報が付された付箋紙を出力させる出力制御手段と、付箋紙から読み取られた画像を取得する付箋画像取得手段と、前記付箋画像取得手段において取得された画像から、付箋紙に書き込まれた画像情報と当該画像情報と重ね合わせて表示される画像情報を特定するファイル特定情報とを認識する画像認識手段と、前記画像認識手段において認識されたファイル特定情報で特定される画像情報を記憶手段から読み出す画像読出手段と、前記画像読出手段において読み出された画像情報と、前記画像認識手段において認識された付箋紙に書き込まれた画像情報と、を表示手段に表示させる表示制御手段と、を備える会議支援装置と、前記出力制御手段からファイル特定情報を示す情報を受信する受信手段と、前記受信手段において受信されたファイル特定情報を示す情報を付箋紙に付して出力する出力手段と、前記付箋紙から情報を読み取る読取手段と、を備える複合機と、を含む会議支援システムに関する。
【００１０】
この会議支援システムは、会議支援装置を含んで構成することができる。すなわち、本発明は、画像情報を特定するファイル特定情報を記憶手段に記憶させる記憶制御手段と、付箋紙印刷指示を受け付ける印刷指示受付手段と、前記印刷指示受付手段で受け付けられた付箋紙印刷指示に基づいて、付箋紙から読み取られた情報と重ね合わせて表示される画像情報を特定するファイル特定情報を記憶手段より抽出するファイル情報抽出手段と、前記ファイル情報抽出手段において抽出されたファイル特定情報を示す情報が付された付箋紙を出力手段に出力させる出力制御手段と、を備えることを特徴とする会議支援装置である。
【００１１】
ここで、ファイル特定情報とはファイル名等とすることができる。また、ファイル特定情報を示す情報とは、付箋紙を特定する付箋紙特定情報とすることができる。
【００１２】
ここで、前記記憶制御手段は、会議の参加者を特定する会議参加者情報を記憶手段に記憶させ、前記印刷指示受付手段において受け付けられた付箋紙印刷指示に基づいて、記憶手段より会議参加者情報を抽出する参加者抽出手段と、前記参加者抽出手段において抽出された会議参加者情報で特定される参加者を表示手段に一覧表示させる表示制御手段と、一覧表示された参加者から選択指示された参加者を特定する会議参加者情報を取得する選択情報取得手段と、を備え、前記出力制御手段は、付箋紙から読み取られた情報と重ね合わせて表示される画像情報を特定するファイル特定情報と、前記選択情報取得手段において取得された会議参加者情報と、を示す情報が付された付箋紙を出力手段に出力させることが好適である。
【００１３】
ここで、会議参加者情報は、会議室を特定する会議室特定情報、電子ボートを特定するスクリーン特定情報に関連付けて記憶されることが好適である。また、付箋紙を特定する付箋紙特定情報と会議参加者情報とを関連付けて記憶しておくことによって、付箋紙には付箋紙特定情報のみを付しておくことによって、付箋紙特定情報から会議参加者情報を抽出することができる。
【００１４】
また、本発明は、画像情報を記憶手段に記憶させる記憶制御手段と、付箋紙から読み取られた画像を取得する付箋画像取得手段と、前記付箋画像取得手段において取得された画像から、付箋紙に書き込まれた画像情報と当該画像情報と重ね合わせて表示される画像情報を特定するファイル特定情報とを認識する画像認識手段と、前記画像認識手段において認識されたファイル特定情報で特定される画像情報を記憶手段から読み出す画像読出手段と、前記画像読出手段において読み出された画像情報と、前記画像認識手段において認識された付箋紙に書き込まれた画像情報と、を表示手段に表示させる表示制御手段と、を備えることを特徴とする会議支援装置である。
【００１５】
ここで、前記画像認識手段は、前記付箋画像取得手段において取得された画像から、付箋紙に書き込まれた画像情報と当該画像情報と重ね合わせて表示される画像情報と共に、会議参加者情報を認識し、前記表示制御手段は、前記画像認識手段において認識された会議参加者情報で特定される会議参加者が発表者である場合のみに前記画像読出手段において読み出された画像情報と、前記画像認識手段において認識された付箋紙に書き込まれた画像情報と、を表示手段に表示させることが好適である。
【００１６】
上記会議支援装置は、コンピュータに会議支援プログラムを実行させることによって実現することができる。すなわち、本発明は、コンピュータに、画像情報を特定するファイル特定情報を記憶手段に記憶させる記憶制御ステップと、付箋紙印刷指示を受け付ける印刷指示受付ステップと、前記印刷指示受付ステップで受け付けられた付箋紙印刷指示に基づいて、付箋紙から読み取られた情報と重ね合わせて表示される画像情報を特定するファイル特定情報を記憶手段より抽出するファイル情報抽出ステップと、前記ファイル情報抽出ステップにおいて抽出されたファイル特定情報を示す情報が付された付箋紙を出力手段に出力させる出力制御ステップと、を実行させることを特徴とする会議支援プログラムである。
【００１７】
ここで、コンピュータに、前記記憶制御ステップでは、会議の参加者を特定する会議参加者情報を記憶手段に記憶させ、前記印刷指示受付ステップにおいて受け付けられた付箋紙印刷指示に基づいて、記憶手段より会議参加者情報を抽出する参加者抽出ステップと、前記参加者抽出ステップにおいて抽出された会議参加者情報で特定される参加者を表示手段に一覧表示させる表示制御ステップと、一覧表示された参加者から選択指示された参加者を特定する会議参加者情報を取得する選択情報取得ステップと、をさらに実行させ、前記出力制御ステップでは、付箋紙から読み取られた情報と重ね合わせて表示される画像情報を特定するファイル特定情報と、前記選択情報取得ステップにおいて取得された会議参加者情報と、を示す情報が付された付箋紙を出力手段に出力させることが好適である。
【００１８】
また、本発明は、コンピュータに、画像情報を記憶手段に記憶させる記憶制御ステップと、付箋紙から読み取られた画像を取得する付箋画像取得ステップと、前記付箋画像取得ステップにおいて取得された画像から、付箋紙に書き込まれた画像情報と当該画像情報と重ね合わせて表示される画像情報を特定するファイル特定情報とを認識する画像認識ステップと、前記画像認識ステップにおいて認識されたファイル特定情報で特定される画像情報を記憶手段から読み出す画像読出ステップと、前記画像読出ステップにおいて読み出された画像情報と、前記画像認識ステップにおいて認識された付箋紙に書き込まれた画像情報と、を表示手段に表示させる表示制御ステップと、を実行させることを特徴とする会議支援プログラムである。
【００１９】
ここで、コンピュータに、前記画像認識ステップでは、前記付箋画像取得ステップにおいて取得された画像から、付箋紙に書き込まれた画像情報と当該画像情報と重ね合わせて表示される画像情報と共に、会議参加者情報を認識させ、前記表示制御ステップでは、前記画像認識ステップにおいて認識された会議参加者情報で特定される会議参加者が発表者である場合のみに前記画像読出ステップにおいて読み出された画像情報と、前記画像認識ステップにおいて認識された付箋紙に書き込まれた画像情報と、を表示手段に表示させることが好適である。
【００２０】
なお、本発明を会議支援方法として記述することもできる。すなわち、本発明は、画像情報及び当該画像情報を特定するファイル特定情報を記憶手段に記憶させる記憶制御ステップと、付箋紙印刷指示を受け付ける印刷指示受付ステップと、前記印刷指示受付ステップで受け付けられた付箋紙印刷指示に基づいて、付箋紙から読み取られた情報と重ね合わせて表示される画像情報を特定するファイル特定情報を記憶手段より抽出する情報抽出ステップと、前記情報抽出ステップにおいて抽出されたファイル特定情報を示す情報が付された付箋紙を出力させる出力ステップと、前記付箋紙から画像を取得する付箋画像取得ステップと、前記付箋画像取得ステップにおいて取得された画像から、付箋紙に書き込まれた画像情報と当該画像情報と重ね合わせて表示される画像情報を特定するファイル特定情報とを認識する画像認識ステップと、前記画像認識ステップにおいて認識されたファイル特定情報で特定される画像情報を記憶手段から読み出す画像読出ステップと、前記画像読出ステップにおいて読み出された画像情報と、前記画像認識ステップにおいて認識された付箋紙に書き込まれた画像情報と、を表示手段に表示させる表示ステップと、を含むことを特徴とする会議支援方法である。
【発明の効果】
【００２１】
本発明によれば、紙等の従来の媒体を付箋として用いて、その付箋に書き込んだ情報を容易に電子会議システムに取り込むことができる。したがって、ユーザ数が増加した場合でもシステム規模を増大させることなく、ユーザが使い易いシステムを提供することができる。
【発明を実施するための最良の形態】
【００２２】
本発明の実施の形態における電子会議システム１００は、図１に示すように、電子会議端末１０２、画像形成・読取装置１０４、ユーザ管理サーバ１０６、会議管理サーバ１０８及び付箋管理サーバ１１０を含んで構成される。電子会議端末１０２、画像形成・読取装置１０４、ユーザ管理サーバ１０６、会議管理サーバ１０８及び付箋管理サーバ１１０は、ネットワークを介して互いに情報伝達可能に接続される。
【００２３】
電子会議端末１０２は、制御部１０、記憶部１２、入出力部１３、入出力インターフェース１４、電子ボード１６及びＩＣカードリーダ１８を含んで構成される。制御部１０は、記憶部１２に格納されているプログラムを実行することによって電子会議端末１０２を統合的に制御する。記憶部１２は、電子会議端末１０２の制御用プログラムや電子ボード１６に表示される電子データを格納及び保持する。記憶部１２には、半導体メモリ、ハードディスク装置、光ディスク装置、磁気ディスク装置等を適用することができる。入出力部１３は、電子会議端末１０２を使用するユーザへ情報を呈示し、及び、ユーザからの電子会議端末１０２の操作指示を受け付けるために設けられる。入出力部１３は、ディスプレイ等の表示装置とキーボード，ポインティングデバイス等の入力装置との組み合わせ、又は、タッチパネル等の一体化された入出力装置により構成することができる。入出力インターフェース１４は、ネットワークを介して、画像形成・読取装置１０４、ユーザ管理サーバ１０６、会議管理サーバ１０８及び付箋管理サーバ１１０と電子情報を交換するインターフェースである。電子ボード１６は、液晶ディスプレイ，プラズマディスプレイ，プロジェクタ等のディスプレイ装置を含んで構成される。電子ボード１６は、記憶部１２に格納されている電子情報を受けて、電子ボード１６に内蔵される信号処理回路によって電子情報を処理した後にディスプレイ装置の画面上に電子情報を表示する。ＩＣカードリーダ１８は、誘導成分を有するアンテナと容量成分を有するコンデンサとから構成される共振回路を含んで構成される。ＩＣカードリーダ１８は、ＩＣカードや携帯電話等に内蔵された微小なＩＣチップから情報を読み出すために用いられる。ＩＣチップに記憶された情報を読み出す際には、ＩＣカードリーダ１８の共振回路のアンテナをＩＣチップに内蔵された共振回路のアンテナに近づける。アンテナが互いに電磁的に結合される程度に近づけられると、非接触電力伝送技術を適用してＩＣカードリーダ１８側から電波によってＩＣチップへ電力を供給しつつ、情報を読み出す。なお、非接触電力伝送技術により、ＩＣチップに電池を内蔵しないで半永久的に利用することができる。
【００２４】
画像形成・読取装置１０４は、制御部２０、記憶部２２、入出力インターフェース２４、読取部２６、画像形成部２７及びＩＣカードリーダ２８を含んで構成される。画像形成・読取装置１０４は、例えば、電子写真印刷システムとスキャナとを備えた複合機とすることができる。制御部２０は、ＣＰＵであり、記憶部２２に格納されているプログラムを実行することによって画像形成・読取装置１０４を統合的に制御する。記憶部２２は、画像形成・読取装置１０４の制御用プログラムや読取部２６により付箋紙等の印刷媒体から読み取られた電子データを格納及び保持する。記憶部２２には、半導体メモリ、ハードディスク装置、光ディスク装置、磁気ディスク装置等を適用することができる。入出力インターフェース２４は、ネットワークを介して、電子会議端末１０２、ユーザ管理サーバ１０６、会議管理サーバ１０８及び付箋管理サーバ１１０と電子情報を交換するインターフェースである。制御部２０は、プログラムに従って、記憶部２２に格納されている電子情報を電子会議端末１０２、ユーザ管理サーバ１０６、会議管理サーバ１０８及び付箋管理サーバ１１０へ入出力インターフェース２４を利用して送信する。読取部２６は、ＬＥＤ等の発光素子、ＣＣＤ等の光電変換素子を含んで構成される。読取部２６は、プラテン上に載置された印刷媒体に発光素子から光を照射し、印刷媒体から反射した光を光電変換素子で電気信号に変換することによって印刷媒体上に画像形成されている情報を電子情報に変換する。得られた電子情報は記憶部２２に格納及び保持される。画像形成部２７は、感光ドラム、帯電部、現像部、転写部、定着部を含む電子写真印刷システムで構成される。画像形成部２７は、制御部２０による制御に従って、記憶部２２に格納されている電子データに基づく画像を感光ドラム上に潜像として形成し、その潜像をトナーにより現像し、トナーを紙等の印刷媒体上に転写及び定着させることにより画像を形成する。ＩＣカードリーダ２８は、誘導成分を有するアンテナと容量成分を有するコンデンサとから構成される共振回路を含んで構成される。ＩＣカードリーダ２８は、ＩＣカードリータ１８と同様に、ＩＣカードや携帯電話等に内蔵された微小なＩＣチップから情報を読み出すために用いられる。
【００２５】
ユーザ管理サーバ１０６は、制御部３０、記憶部３２及び入出力インターフェース３４を含んで構成される。制御部３０は、ＣＰＵであり、記憶部３２に格納されているプログラムを実行することによってユーザ管理サーバ１０６を統合的に制御する。記憶部３２は、ユーザ管理サーバ１０６の制御用プログラム、ユーザ管理データベース及びユーザ管理サーバ１０６での処理に利用される一時的な電子データ等を格納及び保持する。入出力インターフェース３４は、ネットワークを介して、電子会議端末１０２、画像形成・読取装置１０４、会議管理サーバ１０８及び付箋管理サーバ１１０と電子情報を交換するインターフェースである。ユーザ管理サーバ１０６における処理については後述する。
【００２６】
会議管理サーバ１０８は、制御部４０、記憶部４２及び入出力インターフェース４４を含んで構成される。制御部４０は、ＣＰＵであり、記憶部４２に格納されているプログラムを実行することによって会議管理サーバ１０８を統合的に制御する。記憶部４２は、会議管理サーバ１０８の制御用プログラム、会議管理データベース及び会議管理サーバ１０８での処理に利用される一時的な電子データ等を格納及び保持する。入出力インターフェース４４は、ネットワークを介して、電子会議端末１０２、画像形成・読取装置１０４、ユーザ管理サーバ１０６及び付箋管理サーバ１１０と電子情報を交換するインターフェースである。会議管理サーバ１０８における処理については後述する。
【００２７】
付箋管理サーバ１１０は、制御部５０、記憶部５２及び入出力インターフェース５４を含んで構成される。制御部５０は、ＣＰＵであり、記憶部５２に格納されているプログラムを実行することによって付箋管理サーバ１１０を統合的に制御する。記憶部５２は、付箋管理サーバ１１０の制御用プログラム、付箋管理データベース及び付箋管理サーバ１１０での処理に利用される一時的な電子データ等を格納及び保持する。入出力インターフェース５４は、ネットワークを介して、電子会議端末１０２、画像形成・読取装置１０４、ユーザ管理サーバ１０６及び会議管理サーバ１０８と電子情報を交換するインターフェースである。付箋管理サーバ１１０における処理については後述する。
【００２８】
なお、本実施の形態では電子会議端末１０２及び画像形成・読取装置１０４においてＩＣカードリーダ１８，２８を用いるものとしたがこれに限定されるものではない。すなわち、電子会議端末１０２及び画像形成・読取装置１０４を利用するユーザを特定するために用いられる特定情報をユーザから取得できるものであればよい。また、ユーザ管理サーバ１０６、会議管理サーバ１０８、付箋管理サーバ１１０は一つのサーバであってもよい。
【００２９】
本実施の形態における電子会議システムの処理は、電子会議端末１０２、画像形成・読取装置１０４、ユーザ管理サーバ１０６、会議管理サーバ１０８及び付箋管理サーバ１１０の記憶部１２，２２，３２，４２，５２に予め格納されている電子会議端末プログラム、画像形成・読取装置プログラム、ユーザ管理サーバプログラム、会議管理サーバプログラム及び付箋管理サーバプログラムを制御部１０，２０，３０，４０，５０によりそれぞれ実行することによって実現される。
【００３０】
以下、図２のフローチャートを参照して、本実施の形態における電子会議システムにユーザがログインする際の処理について説明する。電子会議端末１０２の入出力部１３を用いて、会議へのログインの開始を指示することによって以下の処理が開始される。
【００３１】
ステップＳ１０では、電子会議端末１０２において、ユーザが携帯するＩＣカードから会議参加するＩＣカードを特定するカード特定情報（カードＩＤ）が読み取られる。会議に参加するユーザは、自己が携帯するＩＣカードをＩＣカードリーダ１８に近接させることによって、ＩＣカードのメモリに格納されているカードＩＤを制御部１０へ読み取らせる。読み取られたカードＩＤは、ユーザを特定する処理を指示するユーザ特定処理指示命令と共に、入出力インターフェース１４，３４を用いてネットワークを介してユーザ管理サーバ１０６へ送信される。
【００３２】
例えば、ユーザＡが所持するＩＣカードのメモリにはカード特定情報として“１０１”というカードＩＤが格納されている場合、会議参加するユーザＡが携帯するＩＣカードをＩＣカードリーダ１８に近接させることによって“１０１”というカードＩＤが読み取られる。このカードＩＤがユーザ管理サーバ１０６へ送信される。
【００３３】
ステップＳ１２では、ユーザ管理サーバ１０６において、会議に参加するユーザが特定される。ユーザ管理サーバ１０６の制御部３０は、ステップＳ１０においてユーザ特定処理指示命令及びカードＩＤを受信すると、ユーザ特定処理指示命令に応じて、記憶部３２に予め格納されているユーザ管理データベースとそのカードＩＤとを照合することによって会議に参加するユーザを特定する。ユーザ管理データベースには、カードＩＤとユーザ特定情報（ユーザＩＤ）とが対応付けて登録されている。なお、図３に示すように、カードＩＤ、ユーザＩＤ及びユーザ名を対応付けて登録してもよい。制御部３０は、受信したカードＩＤとユーザ管理データベースとの照合処理によって得られたユーザＩＤをネットワークを介して送信元の電子会議端末１０２へ送信する。もし、受信したカードＩＤに対応付けられたユーザがユーザ管理データベースに登録されていなければログイン不許可情報を送信元の電子会議端末１０２へ送信する。
【００３４】
例えば、ステップＳ１０においてユーザＡのＩＣカードからカードＩＤ“１０１”が読み取られた場合、図３に示すユーザ管理データベースとの照合処理によって、カードＩＤ“１０１”に対応付けられているユーザＩＤとして“１”及びユーザ名として“Ａ”さんが特定される。このユーザＩＤ“１”が電子会議端末１０２へ送信される。
【００３５】
ステップＳ１４では、電子会議端末１０２において、会議へのログイン認証処理が行われる。制御部１０は、ユーザＩＤを受信できれば、ステップＳ１０においてカードＩＤを読み取らせたユーザの会議への参加が許可されたものとする。一方、制御部１０は、ログイン不許可情報を受信した場合、ステップＳ１０においてカードＩＤを読み取らせたユーザの会議への参加が許可されなかったものとする。会議へのログインが許可された場合、制御部１０は、入出力部１３に会議名の入力を促す画面を表示させ、ユーザからの会議名の入力を受け付ける。さらに、制御部１０は、入出力インターフェース１４，４４を用いてネットワークを介して、ステップＳ１０で読み取られたカードＩＤ、入力された会議名、及び、会議へのユーザの登録指示を示す会議登録指示命令と共に、記憶部１２に予め格納されている電子会議端末１０２が設置されている会議室を特定する会議室特定情報（会議室ＩＤ）及び電子会議端末１０２が備える電子ボード自体を特定するスクリーン特定情報（スクリーンＩＤ）を会議管理サーバ１０８へ送信する。
【００３６】
例えば、電子会議端末１０２に前述のユーザＡがログインし、会議名として“戦略会議”が入力され、会議室を特定する会議室ＩＤが“１”及び電子ボードを特定するスクリーンＩＤが“１”である場合、“１０１”というカードＩＤと共に、会議名“戦略会議”、会議室ＩＤ“１”、スクリーンＩＤ“１”が会議管理サーバ１０８へ送信される。
【００３７】
ステップＳ１６〜Ｓ２０では、会議管理サーバ１０８において、会議管理データベースの登録が行われる。ステップＳ１６では、会議管理サーバ１０８の制御部４０は、会議登録指示命令と共にカードＩＤ、会議名、会議室ＩＤ及びスクリーンＩＤを電子会議端末１０２から受信する。制御部４０は、会議登録指示命令に応じてステップＳ１８へ処理を移行させる。ステップＳ１８では、受信されたカードＩＤが入出力インターフェース３４，４４を用いてネットワークを介してユーザ管理サーバ１０６へ送信される。ユーザ管理サーバ１０６の制御部３０は、会議管理サーバ１０８からカードＩＤを受信すると、記憶部３２に予め格納されているユーザ管理データベースと受信したカードＩＤとを照合することによって会議に参加しているユーザを特定し、送信元の会議管理サーバ１０８へユーザＩＤ及びユーザ名を返信する。ここでの処理は、上記のステップＳ１２と同様に行われる。ステップＳ２０では、会議管理サーバ１０８の制御部４０は、ユーザ管理サーバ１０６からユーザＩＤ及びユーザ名を受信すると、ステップＳ１６で受信した会議室ＩＤ及びスクリーンＩＤと関連付けてユーザＩＤ及びユーザ名を記憶部４２の会議管理データベースに登録する。
【００３８】
上記例の場合、カードＩＤ“１０１”が会議管理サーバ１０８からユーザ管理サーバ１０６へ送信され、カードＩＤ“１０１”に対応するユーザＩＤ“１”及びユーザ名“Ａ”が抽出されてユーザ管理サーバ１０６から会議管理サーバ１０８へ返信される。会議管理サーバ１０８の制御部４０は、図４に示すように、抽出されたユーザＩＤ“１”及びユーザ名“Ａ”を、会議名“戦略会議”、会議室ＩＤ“１”及びスクリーンＩＤ“１”に対応付けて会議管理データベースとして記憶部４２に登録する。
【００３９】
以上の処理によって、電子会議システム１００を用いた会議にログインしたユーザが会議管理データベースに登録される。なお、電子会議システム１００を用いた会議に複数のユーザが参加する場合には、上記処理を繰り返して会議管理データベースに登録する。
【００４０】
また、電子会議システム１００に複数の電子会議端末１０２が接続されており、ネットワークを介して複数の電子会議端末１０２を接続して情報を共有しながら会議を行う場合には、会議管理データベースの会議室ＩＤを相互に関連付ける会議関連フラグを会議管理データベースに登録してもよい。例えば、会議室ＩＤ“１”及びスクリーンＩＤ“１”で特定される電子会議端末１０２−１にユーザＩＤ“１”で特定されるユーザＡ及びユーザＩＤ“２”で特定されるユーザＢがログインし、会議室ＩＤ“２”及びスクリーンＩＤ“１”で特定される電子会議端末１０２−２にユーザＩＤ“３”で特定されるユーザＣがログインし、これら２つの電子会議端末１０２−１及び１０２−２を接続して会議を行う場合、電子会議端末１０２−１及び１０２−２のうちいずれか一方から会議管理サーバ１０８へ接続する旨を示す接続情報を送信することによって、図５に示すように、会議管理データベースに含まれる会議室ＩＤ“１”及び“２”に関連付けられた情報に共通の会議関連フラグが登録される。この処理によって、複数の電子会議端末１０２の接続状態が設定される。
【００４１】
電子会議システム１００にログインしたユーザは、電子会議端末１０２を用いて、記憶部１２に予め格納されている画像ファイル等を電子ボード１６に表示させつつ、会議を行うことができる。電子会議端末１０２を用いた会議中には、入出力部１３には図６に示す処理選択用の初期画面２００が表示されているので、ユーザは“付箋紙印刷”を選択することによって以下の処理が開始される。このとき、電子ボード１６に表示されている画像ファイルが付箋紙の貼り付けの対象となる対象画像ファイルとなる。
【００４２】
図７のフローチャートを参照して、画像形成・読取装置１０４を用いて紙等の媒体に本実施の形態で用いられる付箋紙を印刷する処理について説明する。
【００４３】
ステップＳ３０では、付箋紙を使用するユーザの選択処理が行われる。制御部１０は、会議に参加しているユーザの抽出処理を指示するユーザ抽出指示命令と共に、電子会議端末１０２を特定する会議室ＩＤを会議管理サーバ１０８へ送信する。会議管理サーバ１０８の制御部４０は、ユーザ抽出指示命令及び会議室ＩＤを受信すると、ユーザ抽出指示命令に応じて、記憶部４２に記憶されている会議管理データベースを参照して、受信した会議室ＩＤに関連付けられている会議室名並びに総てのユーザ名及びユーザＩＤを抽出する。抽出された会議室名、ユーザ名、ユーザＩＤは電子会議端末１０２へ送信される。制御部１０は、会議室名、ユーザ名、ユーザＩＤを受信すると、図８に示すように、会議名、会議に参加しているユーザ名等を含む画面２０２を入出力部１３に表示させ、付箋紙を使用するユーザの選択をユーザに促す。ユーザは、入出力部１３を用いて付箋紙を使用するユーザを選択すると共に、「次へ」又は「実行」を選択することによって付箋紙の所有者となるユーザを指定することができる。また、ユーザは、付箋紙を使用するユーザを選択することなく「次へ」又は「実行」を選択することによって、特定のユーザに限定せずに使用することが可能な付箋紙として指定することができる。「次へ」が選択された場合にはステップＳ３２に処理が移行され、「実行」が選択された場合にはステップＳ３６へ処理が移行される。また、「キャンセル」が選択された場合には初期画面２００の選択時まで処理を戻す。
【００４４】
ステップＳ３２では、付箋紙を印刷するときの条件、及び、付箋紙に書かれた情報を表示するときの条件の設定処理が行われる。制御部１０は、図９に示すように、入出力部１３に画面２０４を表示させる。制御画面２０４は、１つの印刷媒体に付箋紙を複数割り付けて印刷する場合の割り付け数（Ｎ−アップ）の指定を促す表示を含む。また、画面２０４は、付箋紙に書かれた情報が読み取られた後、対象画像ファイルが電子ボード１６上に表示されると直ぐに付箋紙から読み取った情報を重ねて表示するか（即表示）、又は、発表者が切り替わった時点で発表者となったユーザが所有する付箋紙から読み取られた情報のみを対象画像ファイルに重ねて表示するか（発表者切替）の選択を促す表示を含む。ユーザは、割り付け数及び表示モードを選択した上で「次へ」又は「実行」を選択する。「次へ」が選択された場合にはステップＳ３４に処理が移行され、「実行」が選択された場合にはステップＳ３６へ処理が移行される。また、「キャンセル」が選択された場合には初期画面２００の選択時まで処理を戻す。
【００４５】
ステップＳ３４では、付箋紙に書かれた情報を表示する際、電子ボード１６の画面上の表示位置及び表示サイズの指定処理が行われる。制御部１０は、図１０に示すように、入出力部１３に画面２０６を表示させる。ユーザは、位置及びサイズの指定を行う場合には「指定する」を選択し、位置及びサイズの指定を行わない場合には「実行」を選択する。「実行」が選択された場合にはステップＳ３６へ処理が移行され、「キャンセル」が選択された場合には初期画面２００の選択時まで処理を戻す。「指定する」が選択された場合、図１１に示すように、電子ボード１６上には現時点で会議に用いられている情報を含む画面２０８が表示され、ユーザはポインティングデバイス等によって付箋紙に書かれた情報を表示する位置及びサイズを示す領域Ａを指定する。制御部１０は、ポインティングデバイス等によって指定された領域Ａの位置及びサイズを読み取る。ステップＳ３２において、複数の付箋紙の割り付け（Ｎ−ｕｐ）が指定されている場合には、それぞれの付箋紙に対する表示領域の位置及びサイズの指定を受け付ける。指定が終了するとステップＳ３６に処理が移行される。
【００４６】
ステップＳ３６では、ステップＳ３０〜Ｓ３４において取得された付箋紙に関する情報が付箋管理サーバ１１０の記憶部５２に付箋管理データベースとして登録される。ステップＳ３６では、電子会議端末１０２の制御部１０は、ステップＳ３０で指定されたユーザのユーザＩＤ（又は、ユーザの指定なし）、ステップＳ３２で指定された割り付け数及び表示モード、ステップＳ３４で指定された付箋紙の表示の位置及びサイズ（又は、指定なし）を登録要求指示命令と共に付箋管理サーバ１１０へ送信する。このとき、電子会議端末１０２に割り当てられている会議室ＩＤ、及び、対象画像ファイルを特定するファイル特定情報（ファイルＩＤ）を同時に付箋管理サーバ１１０へ送信する。付箋管理サーバ１１０の制御部５０は、登録要求指示命令と共に上記条件を受信すると、図１２に示すように、上記条件を新たな付箋紙特定情報（付箋紙ＩＤ）に関連付けて付箋管理データベースとして記憶部５２に登録する。このとき、複数の割り付け数が指定されている場合には、割り付け数分の新たな付箋紙が登録される。制御部５０は、新たに登録された付箋紙ＩＤを電子会議端末１０２へ返信する。
【００４７】
ステップＳ３８では、付箋紙の印刷処理が行われる。電子会議端末１０２の制御部１０は、付箋管理サーバ１１０から付箋紙ＩＤを受信すると、付箋紙の印刷を指示する付箋印刷指示命令と共に、付箋紙ＩＤ及びステップＳ３２で指定された割り付け数を画像形成・読取装置１０４へ送信する。画像形成・読取装置１０４の制御部２０は、付箋印刷指示命令、付箋紙ＩＤ及び割り付け数を受信すると、付箋印刷指示命令に応じて、画像形成部２７により印刷媒体上に付箋紙を印刷させる。このとき、図１３に示すように、印刷媒体の所定の位置（例えば、印刷媒体の隅）に付箋紙を特定するための付箋紙ＩＤを表す画像Ｂを印刷する。付箋紙ＩＤを表す画像Ｂは、読取部２６によって読み取りが可能なバーコード等とすることが好適である。また、付箋紙の割り付け数が指定されている場合、その割り付け数に応じて印刷媒体を分割する枠線を印刷する。例えば、割り付け数として４が指定されている場合、図１４に示すように、印刷媒体を４つに分割するように枠線を印刷する。この場合も印刷媒体の所定の位置に付箋紙を特定するための付箋紙ＩＤを表す画像Ｂを印刷するが、割り付けられた総ての付箋紙の付箋紙ＩＤを表す画像Ｂを印刷する。
【００４８】
なお、電子会議端末１０２の制御部１０は、付箋紙の印刷を指示する付箋印刷指示命令と共に、付箋紙ＩＤ、ユーザＩＤ及び割り付け数を画像形成・読取装置１０４へ送信してもよい。画像形成・読取装置１０４の制御部２０は、付箋印刷指示命令、付箋紙ＩＤ、ユーザＩＤ及び割り付け数を受信すると、付箋印刷指示命令に応じて、画像形成部２７により印刷媒体上に付箋紙を印刷させる。このとき、ユーザＩＤをユーザ管理サーバ１０６に送信することによってユーザ名を特定し、図１５に示すように、印刷媒体の所定の位置（例えば、印刷媒体の隅）に付箋紙を特定するための付箋紙ＩＤを表す画像Ｂと共に、付箋紙の所有者となるユーザ名を印刷することが好適である。
【００４９】
以上のように、付箋紙に関する情報が付箋管理データベースに登録されると共に、紙等の印刷媒体上に付箋紙が印刷される。印刷された付箋紙にペン等で情報を書き込み、画像形成・読取装置１０４の読取部２６で読み取ることによって、付箋紙に書き込まれた情報を対象画像ファイルに重ね合わせて電子ボード１６に表示させることができる。
【００５０】
なお、上記処理において、さらに電子ボード１６に付箋紙に書き込まれた情報を表示させる際の背景の色をユーザに指定させ、付箋管理データベースに登録することも好適である。また、付箋紙の使用が許される有効期限を付箋管理データベースに登録することも好適である。例えば、新たな付箋紙に関する情報を付箋管理データベースに登録した時点から所定の期間を有効期限とすることが好ましい。この場合、付箋管理データベースは、図１６に示すように登録される。
【００５１】
次に、図１７のフローチャートを参照して、電子会議端末１０２を用いた会議において発表者となるユーザを登録する処理について説明する。電子会議端末１０２を用いた会議中に、入出力部１３には図６に示す処理選択用の初期画面２００が表示されているので、発表者となるユーザは“発表者切替”を選択することによって以下の処理が開始される。
【００５２】
ステップＳ５０では、発表者となるユーザの特定処理が行われる。電子会議端末１０２の制御部１０は、入出力部１３に図１８に示すような画面２１０を表示させる。画面２１０には、ユーザにＩＣカードの使用を促す表示が含まれている。発表者となるユーザは、電子会議端末１０２のＩＣカードリーダ１８に自らが携帯するＩＣカードを近接させることによって、ＩＣカードのメモリに格納されているカードＩＤを制御部１０へ読み取らせる。制御部１０は、カードＩＤをユーザ管理サーバ１０６に送信することによって、上記ステップＳ１２と同様に、発表者となるユーザのユーザＩＤを取得する。
【００５３】
ステップＳ５２では、制御部１０は、入出力部１３に図１９に示すような画面２１２を表示させる。画面２１２には、電子ボード１６への表示対象となり得る画像ファイルの選択をユーザに促す表示が含まれている。例えば、図１９に示すように、ファイル名２１２Ａとファイル先頭頁のサムネイル画像２１２Ｂとを並べて表示し、ユーザに選択させることが好適である。表示対象となり得る画像ファイルは、記憶部１２に予め格納されているものとする。発表者となるユーザは、入出力部１３を用いて、電子ボード１６の画面に表示させる画像ファイルを選択する。制御部１０は、選択された画像ファイルを電子ボード１６に表示させる。
【００５４】
ステップＳ５４では、制御部１０は、会議情報の登録を指示する会議情報登録指示命令と共に、発表者のユーザＩＤ、電子ボード１６に現在表示されている画像ファイルのファイルＩＤ、会議に用いられている電子会議端末１０２を特定する会議室ＩＤとを会議管理サーバ１０８へ送信する。会議管理サーバ１０８の制御部４０は、会議情報登録指示命令、ユーザＩＤ、ファイルＩＤ及び会議室ＩＤを受信すると、会議情報登録指示命令に応じて、会議室ＩＤとファイルＩＤとを関連付けて会議情報データベースとして記憶部４２に登録する。このとき、図２０に示すように、電子会議情報データベースには会議の状態を示す情報（会議中、準備中、会議終了等の情報）を登録してもよい。さらに、制御部４０は、記憶部４２に登録されている会議管理データベースを参照して、受信したユーザＩＤを抽出し、発表者であることを登録する。
【００５５】
例えば、図４に示すような会議管理データベースが登録されており、ユーザＩＤが“１”であるユーザが発表者である場合、図２１に示すように、発表者であるユーザの発表者フラグを“１”に設定し、そのユーザと同じ会議室ＩＤに関連付けられているユーザの発表者フラグを“０”に設定する。また、図５に示すような会議管理データベースが登録されており、ユーザＩＤが“１”であるユーザが発表者である場合、図２２に示すように、発表者であるユーザの発表者フラグを“１”に設定し、そのユーザと同じ会議室ＩＤ又はそのユーザと同じ会議関連フラグに関連付けられているユーザの発表者フラグを“０”に設定する。
【００５６】
次に、図２３のフローチャートを参照して、画像形成・読取装置１０４を用いて付箋紙に書き込まれた情報を読み取る処理について説明する。
【００５７】
ステップＳ６０では、画像形成・読取装置１０４による読取処理が行われる。ユーザは画像形成・読取装置１０４の読取部２６を用いて所望の付箋紙に書かれた情報を読み取らせる。
【００５８】
ステップＳ６２では、制御部２０は、読み取られた情報を解析し、付箋紙から読み取った情報に付箋紙の所定の位置に印刷された付箋紙ＩＤを示す画像が含まれていれば、付箋紙ＩＤを示す画像とその他の情報（付箋紙に書き込まれた情報。以下、付箋紙情報という）に分離する。付箋紙ＩＤを表す画像が抽出できた場合にはステップＳ６４に処理を移行させ、抽出できなかった場合には付箋紙でないものとして通常の読取処理を行う。
【００５９】
ステップＳ６４では、抽出された付箋紙ＩＤを表す画像に基づいて付箋紙が未だ有効なものであるか否かの判定が行われる。制御部２０は、抽出された付箋紙ＩＤを表す画像を解析して付箋紙ＩＤを抽出し、抽出された付箋紙ＩＤを付箋確認要求命令と共に付箋管理サーバ１１０へ送信する。付箋管理サーバ１１０の制御部５０は、付箋確認要求命令及び付箋紙ＩＤを受信すると、付箋確認要求命令に応じて、記憶部５２に記憶されている付箋管理データベースを参照して受信した付箋紙ＩＤの有効期限を調査する。付箋管理サーバ１１０の内蔵クロック等との対比により、受信した付箋紙ＩＤに対して登録されている有効期限が既に経過している場合には画像形成・読取装置１０４へ付箋無効情報を返信する。画像形成・読取装置１０４の制御部２０は、付箋無効情報を受けると、付箋紙としてスキャンすることができない旨をコンソール画面に表示し、付箋紙でないものとして通常の読取処理を行う。一方、受信した付箋紙ＩＤに対して登録されている有効期限が未だ経過していない場合には、受信した付箋紙ＩＤに関連付けられている予約サイズ、予約位置、所有者ＩＤ、表示モード、割り付け数、会議室ＩＤ、ファイルＩＤ及び予約色を画像形成・読取装置１０４へ返信する。画像形成・読取装置１０４の制御部２０は、これらの情報を受信すると、処理をステップＳ６６へ移行させる。
【００６０】
ステップＳ６６では、読取対象となっている付箋紙に対応付けられている会議が開催中であるか否かが判定される。画像形成・読取装置１０４の制御部２０は、会議の状態を確認する指示を示す会議確認命令と共に、受信した会議室ＩＤを会議管理サーバ１０８へ送信する。会議管理サーバ１０８の制御部４０は、会議確認命令及び会議室ＩＤを受信すると、会議確認命令に応じて、記憶部４２に記憶されている会議情報データベースを参照して、受信した会議室ＩＤに関連付けられて登録されている会議の状態が“会議中”であるか“準備中”又は“会議終了”であるかを調査する。会議の状態が“会議中”であれば開催確認情報を画像形成・読取装置１０４へ返信し、会議の状態が“準備中”又は“会議終了”であれば不開催確認情報を画像形成・読取装置１０４へ返信する。画像形成・読取装置１０４の制御部２０は、不開催確認情報を受けると、付箋紙としてスキャンすることができない旨をコンソール画面に表示し、付箋紙でないものとして通常の読取処理を行う。一方、画像形成・読取装置１０４の制御部２０は、開催確認情報を受信すると、処理をステップＳ６８へ移行させる。
【００６１】
ステップ６８では、付箋紙の所有者が会議にログインしているか否かが判定される。画像形成・読取装置１０４の制御部２０は、会議へのログインの状態を確認する指示を示す会議ログイン確認命令と共に、ステップＳ６４で受信した所有者ＩＤ及び会議室ＩＤを会議管理サーバ１０８へ送信する。会議管理サーバ１０８の制御部４０は、会議ログイン確認命令、所有者ＩＤ及び会議室ＩＤを受信すると、会議ログイン確認命令に応じて、記憶部４２に記憶されている会議管理データベースを参照して、受信した所有者ＩＤと会議室ＩＤとが関連付けられて登録されているか否かを調査する。受信した所有者ＩＤと会議室ＩＤとが関連付けられて登録されていれば所有者登録確認情報を画像形成・読取装置１０４へ返信し、受信した所有者ＩＤと会議室ＩＤとが関連付けられて登録されていなければ所有者不登録確認情報を画像形成・読取装置１０４へ返信する。画像形成・読取装置１０４の制御部２０は、所有者不登録確認情報を受けると、付箋紙としてスキャンすることができない旨をコンソール画面に表示し、付箋紙でないものとして通常の読取処理を行う。一方、画像形成・読取装置１０４の制御部２０は、所有者登録確認情報を受信すると、処理をステップＳ７０へ移行させる。
【００６２】
ステップＳ７０では、付箋紙情報及び付箋紙に関する情報が電子会議端末１０２へ送信される。画像形成・読取装置１０４の制御部２０は、付箋紙情報、付箋紙ＩＤ、並びに、ステップＳ６４で受信した予約サイズ、予約位置、所有者ＩＤ、表示モード、割り付け数、会議室ＩＤ、ファイルＩＤ及び予約色を、受信した会議室ＩＤで特定される電子会議端末１０２へ送信する。電子会議端末１０２の制御部１０は、画像形成・読取装置１０４から送信された情報を受信すると、それらの情報を記憶部１２に格納する。
【００６３】
なお、ステップＳ６０で読み取った印刷媒体に複数の付箋紙が割り付けられている場合には、複数の付箋紙について割り当てられた付箋紙ＩＤを抽出して、それぞれ上記の処理を行う。
【００６４】
次に、図２４のフローチャートを参照して、電子会議端末１０２において付箋紙から読み取られた情報を電子ボード１６の画面上に表示させる処理について説明する。以下の処理は、図１７を参照して説明した発表者となるユーザが新たに登録された場合、又は、電子ボード１６の画面に表示される画像ファイルが変更された場合に開始される。また、以下の処理は、電子会議端末１０２の記憶部１２に格納されている付箋紙情報を着目情報として実行される。記憶部１２に複数の付箋紙情報が格納されている場合には、付箋紙情報を順次着目情報として以下の処理を行う。
【００６５】
ステップＳ８０では、電子会議端末１０２の電子ボード１６に現在表示されている画像ファイルが着目情報の貼り付けの対象となる対象画像ファイルであるか否かが判定される。制御部１０は、表示文書の確認を指示する表示文書確認命令と共に、着目情報に関連付けられている会議室ＩＤを会議管理サーバ１０８へ送信する。会議管理サーバ１０８の制御部４０は、表示文書確認命令及び会議室ＩＤを受信すると、表示文書確認命令に応じて、記憶部４２に記憶されている会議情報データベースを参照して、受信した会議室ＩＤに関連付けて登録されている現在表示中の画像ファイルのファイルＩＤを抽出して送信元の電子会議端末１０２へ返信する。電子会議端末１０２の制御部１０は、現在表示中の画像ファイルのファイルＩＤを受信すると、付箋紙の対象となるファイルＩＤと一致するか否かを判定する。表示中の画像ファイルのファイルＩＤと付箋紙の対象となるファイルＩＤとが一致している場合にはステップＳ８２に処理を移行させる。そうでない場合には、記憶部１２に格納されている付箋紙から読み取り済みの情報を着目情報としてステップＳ８０の処理を繰り返す。
【００６６】
ステップＳ８２では、着目情報に対して設定されている表示モードについて判定が行われる。制御部１０は、着目情報に対して設定されている表示モードが“即時”である場合にはステップＳ８４に処理を移行させる。一方、着目情報に対して設定されている表示モードが“発表者”である場合には、制御部１０は、現在の発表者の確認を指示する発表者確認要求命令と共に、着目情報に関連付けられている会議室ＩＤを会議管理サーバ１０８へ送信する。なお、着目情報に関連付けられている所有者ＩＤが登録されていない場合にはステップＳ８４に処理を移行させる。会議管理サーバ１０８の制御部４０は、発表者確認要求命令及び会議室ＩＤを受信すると、発表者確認要求命令に応じて、記憶部４２に記憶されている会議管理データベースを参照して、受信した会議室ＩＤに関連付けて現在の発表者として登録されているユーザのユーザＩＤを抽出して送信元の電子会議端末１０２へ返信する。電子会議端末１０２の制御部１０は、ユーザＩＤを受信すると、受信したユーザＩＤと着目情報に関連付けられている所有者ＩＤとが一致するか否かを判定する。一致している場合にはステップＳ８４に処理を移行させる。そうでない場合には、記憶部１２に格納されている付箋紙から読み取り済みの情報を着目情報としてステップＳ８０から処理を繰り返す。
【００６７】
ステップＳ８４では、電子ボード１６上に現在表示されている画像に着目情報を重ね合わせて表示させる場合の表示サイズ及び表示位置が決定される。制御部１０は、記憶部１２から着目情報に関連付けられている会議室ＩＤ、ファイルＩＤ、予約サイズ及び予約位置を抽出し、位置確認を指示する位置確認命令と共に、抽出された会議室ＩＤ、ファイルＩＤ、予約サイズ及び予約位置を付箋管理サーバ１１０へ送信する。なお、着目情報に関連付けられて予約サイズ及び予約位置が登録されていない場合には、位置確認命令と共に、着目情報に関連付けられている会議室ＩＤ及びファイルＩＤのみを付箋管理サーバ１１０へ送信する。
【００６８】
付箋管理サーバ１１０の制御部５０は、位置確認命令、会議室ＩＤ及びファイルＩＤを受信すると、記憶部５２に記憶されている後述の表示済付箋紙情報データベースを参照して、受信された会議室ＩＤ及びファイルＩＤに関連付けられて登録されている表示済みの付箋紙情報の表示サイズ及び表示位置を総て抽出する。
【００６９】
次に、位置確認命令と共に予約サイズ及び予約位置が受信された場合には、制御部５０は、受信された予約サイズ及び予約位置と抽出された表示サイズ及び表示位置とを比較して、既に表示された付箋紙情報の中に新たに表示する付箋紙情報と所定の割合以上重なり合っているものが存在するか否かを判定する。例えば、既に表示された付箋紙情報の中に新たに表示する付箋紙情報と面積が５０％以上重なり合っているものが存在するか否かを判定する。所定の割合以上重なり合っていない場合には、受信した予約サイズ及び予約位置をそのまま表示サイズ及び表示位置として送信元の電子会議端末１０２へ返信する。一方、所定の割合以上重なり合っている場合には、制御部５０は、記憶部５２に予め格納及び保持されている表示可能領域データベースを参照して、既に表示された付箋紙と所定割合以上重なり合わないサイズ及び位置を抽出して表示サイズ及び表示位置とする。例えば、図２５に示すような表示可能領域データベースが準備されている場合、表示可能領域データベースに登録されているサイズ及び位置と抽出された表示サイズ及び表示位置とを順に対比し、既に表示された付箋紙情報と所定の割合以上重なり合っていないサイズ及び位置を表示サイズ及び表示位置とする。そして、表示サイズ及び表示位置を送信元の電子会議端末１０２へ返信する。
【００７０】
位置確認命令と共に予約サイズ及び予約位置が受信されなかった場合には、制御部５０は、記憶部５２に予め格納及び保持されている表示可能領域データベースを参照して、既に表示された付箋紙と所定割合以上重なり合わないサイズ及び位置を抽出して表示サイズ及び表示位置とする。そして、その表示サイズ及び表示位置を送信元の電子会議端末１０２へ返信する。
【００７１】
ステップＳ８６では、付箋紙の情報を表示する際の色が決定される。電子会議端末１０２の制御部１０は、着目情報に関連付けられて付箋紙の予約色が登録されているか否かを調査する。予約色が登録されている場合にはその色を表示色とする。一方、予約色が登録されていない場合には、着目情報に関連付けられて所有者ＩＤが登録されているか否かを調査する。所有者が登録されていない場合には、予め設定されているゲストユーザ用の付箋紙の色を表示色として割り当てる。所有者が登録されている場合には、その所有者に対して専用の色が予め設定されている場合にはその色を表示色とし、その所有者に対して専用の色が予め設定されていない場合にはゲストユーザ用の付箋紙の色を表示色として割り当てる。
【００７２】
ステップＳ８８では、着目情報を電子ボード１６の画面上に表示させる。制御部１０は、図２６に示すように、電子ボード１６の画面上に、ステップＳ８４で決定された表示サイズ及び表示位置にステップＳ８６で決定された付箋紙の色を背景色として着目情報の内容を表示させる。
【００７３】
ステップＳ９０では、表示された着目情報に関する情報を表示済付箋紙情報データベースに登録する。制御部１０は、着目情報に関連付けられている付箋紙ＩＤ、所有者ＩＤ、表示モード、割り付け数、会議室ＩＤ及びファイルＩＤ、並びに、着目情報を表示した際の条件である表示サイズ、表示位置及び表示色をデータ更新命令と共に付箋管理サーバ１１０へ送信する。付箋管理サーバ１１０の制御部５０は、データ更新命令及びこれらの情報を受信すると、図２５に示すように、付箋紙ＩＤに関連付けて表示サイズ、表示位置、表示色、所有者ＩＤ、表示モード、会議室ＩＤ及びファイルＩＤを表示済付箋紙情報データベースとして記憶部５２に登録する。このとき、図２５に示すように、データの更新日時を同時に登録することも好適である。
【００７４】
なお、表示済付箋紙情報データベースに登録を行う際に、既に電子ボード１６の画面上に表示されている画像情報を新たな電子化画像の画像ファイルに変換し、着目情報に関連付けられている付箋紙ＩＤに関連付けて登録することも好適である。これによって、後述する付箋紙の再利用処理において、既に付箋紙情報等が貼り付けらた状態の画像を対象画像ファイルとして処理を行うことができる。
【００７５】
ステップＳ９２では、表示された着目情報に関する情報を付箋管理データベースから削除する。付箋管理サーバ１１０の制御部５０は、データ更新命令に応じて、付箋管理データベースに受信した付箋紙ＩＤに関連付けて登録されている予約サイズ、予約位置、所有者ＩＤ、表示モード、割り付け数（Ｎ−ｕｐ）、会議室ＩＤ、ファイルＩＤ、予約色及び有効期限を削除する。
【００７６】
以上のように、本実施の形態によれば、紙等の従来の印刷媒体に付箋紙を印刷し、その付箋に書き込んだ情報をスキャナで読み取って容易に電子会議システムに取り込むことができる。また、ユーザ毎に専用の端末装置を準備する必要もなく、ユーザ数が増加した場合でもシステム規模を増大させることなく、システムのコストも抑えることができる。さらに、ユーザはテレライティング端末等の専用端末の使用方法を習得する必要もなく、ユーザが使い易いシステムを提供することができる。
【００７７】
なお、上記実施の形態では、電子会議端末１０２、画像形成・読取装置１０４、ユーザ管理サーバ１０６及び会議管理サーバ１０８をそれぞれ別の装置として説明を行ったが、必要に応じて２以上の装置を組み合わせて１つの装置として構成してもよい。
【００７８】
＜変形例１＞
本変形例１では、図２７に示すフローチャートを参照して、電子会議端末１０２の電子ボード１６の画面上に表示された付箋紙情報の表示位置を移動させる処理について説明する。
【００７９】
ステップＳ１００では、既に電子ボード１６に表示されている付箋紙情報の移動先となる新たな表示位置の指定処理が行われる。会議を行っているユーザは、ポインティングデバイスを用いて、移動対象となる付箋紙情報を電子ボード１６上において指定し、新たな表示位置を指定する。電子会議端末１０２の制御部１０は、移動対象となる付箋紙情報の新たな表示位置の指定を受け付ける。また、現在表示されているファイルのファイルＩＤを会議管理サーバ１０８から取得する。そして、そのファイルＩＤ、電子会議端末１０２を特定する会議室ＩＤ、移動対象として指定された付箋紙の現在の表示位置及び新たに指定された指定位置を位置確認命令と共に付箋管理サーバ１１０へ送信する。
【００８０】
ステップＳ１０２では、付箋管理サーバ１１０において移動後の表示サイズ及び表示位置の確認処理が行われる。付箋管理サーバ１１０の制御部５０は、位置確認命令と共に会議室ＩＤ、ファイルＩＤ、付箋紙の現在の表示位置及び新たな指定位置を受信すると、記憶部５２に登録されている表示済付箋紙情報データベースを参照して、会議室ＩＤ、ファイルＩＤ、移動対象とされた付箋紙情報の現在の表示位置に基づいて移動対象とされた付箋紙情報の現在の表示サイズを抽出する。さらに、制御部５０は、表示済付箋紙情報データベースを参照して、受信された会議室ＩＤ及びファイルＩＤに関連付けられて登録されている表示済みの付箋紙情報の表示サイズ及び表示位置を総て抽出する。
【００８１】
続いて、制御部５０は、移動対象とされた付箋紙情報の表示サイズ及び新たな指定位置と、表示済みの付箋紙情報の表示サイズ及び表示位置とを比較して、所定の割合以上重なり合っているものが存在するか否かを判定する。例えば、面積が５０％以上重なり合うものが存在するか否かを判定する。
【００８２】
所定の割合以上重なり合う付箋紙が存在しない場合には、現在の表示サイズ及び新たな指定位置をそのまま移動対象とされた付箋紙情報の表示サイズ及び表示位置として送信元の電子会議端末１０２へ返信する。このとき、表示済付箋紙情報データベースにおいて、移動対象とされた付箋紙情報の付箋紙ＩＤに関連付けて登録されている表示位置を新たな表示位置に更新する。一方、所定の割合以上重なり合う付箋紙が存在する場合には、移動を許可しない移動不許可情報を送信元の電子会議端末１０２へ送信する。
【００８３】
ステップＳ１０４では、付箋紙情報の表示の更新が行われる。電子会議端末１０２の制御部１０は、付箋管理サーバ１１０から表示サイズ及び表示位置が受信できた場合には、電子ボード１６の受信した表示サイズ及び表示位置に移動対象とされた付箋紙情報を表示させる。また、元の表示位置に表示されていた移動対象とされた付箋紙情報を消去する。
【００８４】
以上のように、電子ボード１６の画面上で表示済みの付箋紙情報の位置を移動させて情報を表示させることができる。
【００８５】
＜変形例２＞
本変形例２では、図２８に示すフローチャートを参照して、既に表示された付箋紙を再利用する処理について説明する。この処理は、図７のフローチャートを参照して説明した付箋紙を印刷する処理を変形して行われる。
【００８６】
ステップＳ１１０では、既に印刷済みの付箋紙情報の印刷条件を利用して新規の付箋紙の印刷を行うか否かが判断される。制御部１０は、図２９に示すように、付箋紙を印刷する際に、既存の付箋紙の印刷条件を用いるか、又は、印刷条件を新たに入力するか、を選択させる画面２１４を入出力部１３に表示させ、ユーザに選択を促す。ユーザは、入出力部１３を用いて、“既存付箋紙”又は“新規付箋紙”を選択する。制御部１０は、“既存付箋紙”が選択された場合にはステップＳ１１２に処理を移行させ、“新規付箋紙”が選択された場合にはステップＳ３０に処理を移行させる。ステップＳ３０〜Ｓ３８の処理は上記の通りであるので説明を省略する。
【００８７】
ステップＳ１１２では、印刷済みの付箋紙に関する情報が取得される。制御部１０は、印刷済みの付箋紙に関する情報を要求する付箋紙情報要求命令を付箋管理サーバ１１０へ送信する。付箋管理サーバ１１０の制御部５０は、付箋紙情報要求命令を受信すると、記憶部５２に記憶されている付箋管理データベースに登録されている総ての付箋紙に関する情報を送信元の電子会議端末１０２へ返信する。例えば、図１６の付箋管理データベースの例では、付箋紙ＩＤが３〜７の付箋紙に関する予約サイズ、予約位置、所有者ＩＤ、表示モード、割り付け数、会議室ＩＤ、ファイルＩＤ、予約色及び有効期限が抽出され、送信元の電子会議端末１０２へ返信される。
【００８８】
ステップＳ１１４では、印刷済みの付箋紙の中から印刷条件を再利用する付箋紙の選択が行われる。電子会議端末１０２の制御部１０は、図３０に示すように、印刷済みの付箋紙に関する情報を含む画面２１６を入出力部１３に表示させ、ユーザに選択を促す。ユーザは、入出力部１３を用いて、画面２１６に表示されている付箋紙のいずれかを選択する。制御部１０は、選択された付箋紙に関する情報を新たに印刷される付箋紙の印刷条件として設定し、ステップＳ３６に処理を移行させる。
【００８９】
ステップＳ３６では、ステップＳ１１４において設定された付箋紙に印刷条件が付箋管理サーバ１１０の記憶部５２に付箋管理データベースとして登録される。電子会議端末１０２の制御部１０は、ステップＳ１１４で設定された印刷条件を登録要求指示命令と共に付箋管理サーバ１１０へ送信する。付箋管理サーバ１１０の制御部５０は、登録要求指示命令と共に上記条件を受信すると、図１２に示すように、上記条件を新たな付箋紙ＩＤに関連付けて付箋管理データベースとして記憶部５２に登録する。ステップＳ３８では、付箋紙の印刷処理が行われる。
【００９０】
以上のように、既に印刷された付箋紙の印刷条件を流用して新たな付箋紙を容易に印刷することができる。
【００９１】
なお、表示済付箋紙情報データベースに登録を行う際に、既に電子ボード１６の画面上に表示されている画像情報を新たな電子化画像の画像ファイルに変換し、着目情報に関連付けられている付箋紙ＩＤに関連付けて登録されている場合、付箋紙情報等が追記された画像を対象画像ファイルとして付箋紙情報を再利用してもよい。例えば、既に電子ボード１６の画面上に表示されている画像情報を新たな電子化画像の画像ファイルに変換し、その画像ファイルを特定するファイルＩＤを着目情報に関連付けられている付箋紙ＩＤに関連付けて表示付箋紙情報データベースに登録した場合、付箋紙情報等が追記された画像ファイルのファイルＩＤを対象画像ファイルのファイルＩＤとして新たな付箋紙ＩＤに関連付けて付箋管理データベースに登録すると共に、その新たな付箋紙ＩＤを示す画像を付箋紙に印刷する。
【図面の簡単な説明】
【００９２】
【図１】本発明の実施の形態における電子会議システムの構成を示す図である。
【図２】本発明の実施の形態における会議管理データベースの登録処理を示すフローチャートである。
【図３】本発明の実施の形態におけるユーザ管理データベースの登録例を示す図である。
【図４】本発明の実施の形態における会議管理データベースの登録例を示す図である。
【図５】本発明の実施の形態における会議管理データベースの登録の別例を示す図である。
【図６】本発明の実施の形態におけるユーザインターフェース画面の例を示す図である。
【図７】本発明の実施の形態における付箋紙の印刷処理を示すフローチャートである。
【図８】本発明の実施の形態におけるユーザインターフェース画面の例を示す図である。
【図９】本発明の実施の形態におけるユーザインターフェース画面の例を示す図である。
【図１０】本発明の実施の形態におけるユーザインターフェース画面の例を示す図である。
【図１１】本発明の実施の形態における電子ボード上での予約サイズ及び予約位置の指定処理を説明する図である。
【図１２】本発明の実施の形態における付箋管理データベースの登録例を示す図である。
【図１３】本発明の実施の形態における印刷された付箋紙の例を示す図である。
【図１４】本発明の実施の形態における複数割り付け印刷された付箋紙の例を示す図である。
【図１５】本発明の実施の形態における印刷された付箋紙の別例を示す図である。
【図１６】本発明の実施の形態における付箋管理データベースの登録の別例を示す図である。
【図１７】本発明の実施の形態における発表者の登録処理を示すフローチャートである。
【図１８】本発明の実施の形態におけるユーザインターフェース画面の例を示す図である。
【図１９】本発明の実施の形態におけるユーザインターフェース画面の例を示す図である。
【図２０】本発明の実施の形態における電子会議情報データベースの登録の例を示す図である。
【図２１】本発明の実施の形態における会議管理データベースの登録の例を示す図である。
【図２２】本発明の実施の形態における会議管理データベースの登録の別例を示す図である。
【図２３】本発明の実施の形態における付箋紙からの情報の読取処理を示すフローチャートである。
【図２４】本発明の実施の形態における付箋紙情報の表示処理を示すフローチャートである。
【図２５】本発明の実施の形態における表示済付箋紙情報データベースの登録例を示す図である。
【図２６】本発明の実施の形態における電子ボード上での付箋紙情報の表示例を示す図である。
【図２７】本発明の実施の形態における表示済みの付箋紙情報の移動処理を示すフローチャートである。
【図２８】本発明の実施の形態における印刷済みの付箋紙の再利用処理を示すフローチャートである。
【図２９】本発明の実施の形態におけるユーザインターフェース画面の例を示す図である。
【図３０】本発明の実施の形態におけるユーザインターフェース画面の例を示す図である。
【符号の説明】
【００９３】
１０，２０，３０，４０，５０  制御部、１２，２２，３２，４２，５２  記憶部、１３  入出力部、１４，２４，３４，４４，５４  入出力インターフェース、１６  電子ボード、１８，２８  カードリーダ、２６  読取部、２７  画像形成部、１００  電子会議システム、１０２  電子会議端末、１０４  画像形成・読取装置、１０６  ユーザ管理サーバ、１０８  会議管理サーバ、１１０  付箋管理サーバ。
【図１】
2007213447.tif 000003
【図２】
2007213447.tif 000004
【図３】
2007213447.tif 000005
【図４】
2007213447.tif 000006
【図５】
2007213447.tif 000007
【図６】
2007213447.tif 000008
【図７】
2007213447.tif 000009
【図８】
2007213447.tif 000010
【図９】
2007213447.tif 000011
【図１０】
2007213447.tif 000012
【図１１】
2007213447.tif 000013
【図１２】
2007213447.tif 000014
【図１３】
2007213447.tif 000015
【図１４】
2007213447.tif 000016
【図１５】
2007213447.tif 000017
【図１６】
2007213447.tif 000018
【図１７】
2007213447.tif 000019
【図１８】
2007213447.tif 000020
【図１９】
2007213447.tif 000021
【図２０】
2007213447.tif 000022
【図２１】
2007213447.tif 000023
【図２２】
2007213447.tif 000024
【図２３】
2007213447.tif 000025
【図２４】
2007213447.tif 000026
【図２５】
2007213447.tif 000027
【図２６】
2007213447.tif 000028
【図２７】
2007213447.tif 000029
【図２８】
2007213447.tif 000030
【図２９】
2007213447.tif 000031
【図３０】
2007213447.tif 000032